(57)【特許請求の範囲】
【請求項１】
ろ過容器およびろ過機構を含む、自動洗浄機能を有する洗濯機の循環節水ろ過装置であって、前記ろ過機構がろ過容器内部に回転可能に設けられ、ろ過装置が、取水水流を利用してろ過機構を回転させ、ろ過機構を噴射洗浄する自動洗浄機構をさらに含み、
前記ろ過機構はろ過フレームと、ろ過フレームに設けられるろ過ネットとを含み、ろ過フレームの両端がろ過容器の旋回軸と接続され、その一端が回転コネクタであり、もう一端は軸が密封され、
前記自動洗浄機構が噴射ヘッドを含み、噴射ヘッドがろ過容器上に取り付けられ、噴水方向がろ過機構の表面に作用し、ろ過機構を回転させる、ことを特徴とする装置。
【請求項２】
前記ろ過フレームが筒形であることを特徴とする、請求項１に記載の自動洗浄機能を有する洗濯機の循環節水ろ過装置。
【請求項３】
前記ろ過容器に洗濯機の循環水取水口と、ろ過後の水を排出する出水口と、洗浄廃水を外部に排出する汚水排出口とが設けられ、ろ過出水口がろ過機構の回転コネクタと通じることを特徴とする、請求項２に記載の自動洗浄機能を有する洗濯機の循環節水ろ過装置。
【請求項４】
前記ろ過機構の回転軸の方向および水平面が傾斜夾角α（０≦α≦３０°）を有し、回転コネクタがろ過機構のより低い一端に設けられることを特徴とする、請求項２に記載の自動洗浄機能を有する洗濯機の循環節水ろ過装置。
【請求項５】
前記ろ過機構がろ過容器内に垂直に設けられ、回転コネクタが底端に設けられることを特徴とする、請求項２に記載の自動洗浄機能を有する洗濯機の循環節水ろ過装置。
【請求項６】
前記噴射ヘッドが管状構造であり、一端が閉じ、もう一端が洗浄取水と通じ、噴射ヘッドの周壁に、軸方向に沿って少なくとも１組の噴水口が設けられることを特徴とする、請求項５に記載の自動洗浄機能を有する洗濯機の循環節水ろ過装置。
【請求項７】
前記噴射ヘッドが噴射管および取水管を含み、噴射管が水均圧化空洞と、水均圧化空洞とつながり、外側に噴水する噴水口とを有し、取水管が水均圧化空洞内に延伸し、水均圧化空洞内に延伸する一端が閉じ、もう一端が洗浄取水と通じ、取水管の周壁に、水均圧化空洞とつながる少なくとも１つの出水口が設けられることを特徴とする、請求項１に記載の自動洗浄機能を有する洗濯機の循環節水ろ過装置。
【請求項８】
前記水均圧化空洞が二等辺三角形状の空洞であり、取水管が水均圧化空洞の頂角から底辺に垂直に延伸し、噴水口が底辺に設けられ、出水口が、対応する２つの底角方向における取水管の周壁に対称に分布することを特徴とする、請求項７に記載の自動洗浄機能を有する洗濯機の循環節水ろ過装置。
【請求項９】
前記噴水口が水均圧化空洞底辺における取水管の両側に設けられ、出水口が棒状であることを特徴とする、請求項８に記載の自動洗浄機能を有する洗濯機の循環節水ろ過装置。
【請求項１０】
前記自動洗浄機構がろ過機構の表面に設けられるブレードをさらに含み、ブレードを噴射ヘッドの噴水方向に対応して設置することにより、水流がろ過機構を回転させる動力が伝達されることを特徴とする、請求項１に記載の自動洗浄機能を有する洗濯機の循環節水ろ過装置。
【請求項１１】
洗濯機外槽を含み、管路を介して順番に外槽、凝集装置、ろ過装置から再び外槽まで循環して通じる請求項１〜１０のいずれか１項に記載の循環節水ろ過装置を有する洗濯機であって、
凝集装置が、外槽と通じる凝集容器と、凝集容器内に凝集剤を投入する凝集剤投入器とを含み、外槽から凝集容器内に排水されて凝集処理され、
ろ過装置が、ろ過容器と、ろ過容器内に設けられるろ過機構とを含み、ろ過容器がそれぞれ凝集容器および外槽と通じ、凝集容器内の凝集処理後の水を、さらにろ過機構でろ過してから、外槽内に排出して繰り返し使用する、ことを特徴とする洗濯機。
【請求項１２】
前記凝集容器に、撹拌して凝集剤の溶解を速める撹拌機構と、凝集容器の内壁を洗い流し、洗浄する洗浄機構とが設けられることを特徴とする、請求項１１に記載の洗濯機。
【請求項１３】
前記洗浄機構が、取水して凝集容器の内壁方向に放つ放水インペラと、放水インペラを回転させる駆動モータとを含むことを特徴とする、請求項１２に記載の洗濯機。
【請求項１４】
前記撹拌機構が、凝集容器外部に取り付けられる撹拌モータと、凝集容器内部に延伸する撹拌軸と、撹拌軸に取り付けられる撹拌インペラとを含むことを特徴とする、請求項１２または１３に記載の洗濯機。
【請求項１５】
前記駆動モータが前記撹拌モータであり、前記放水インペラが撹拌軸に同軸に取り付けられ、撹拌インペラの湾曲方向が、撹拌過程で撹拌軸が回転する方向と反対であり、凝集容器内に、取水を放水インペラ上に誘導する水誘導溝が設けられることを特徴とする、請求項１４に記載の洗濯機。
【請求項１６】
前記放水インペラが、回転テーブルと、回転テーブルの上表面に、回転テーブルの中心と同心に設けられる環状遮断リブと、環状遮断リブの外側に円周分布する複数組のブレードとを含み、水誘導溝の出水方向が回転テーブルの上表面における環状遮断リブの外部領域に対応することを特徴とする、請求項１５に記載の洗濯機。
【発明の詳細な説明】
【技術分野】
【０００１】
本発明は洗濯機の循環水処理設備に関し、具体的に凝集ろ過方式を採用した洗濯機の循環節水装置であり、特に自動洗浄機能を有する洗濯機の循環節水ろ過装置および洗濯機である。
【背景技術】
【０００２】
人々の生活レベルの向上に伴い、洗濯機はすでに人々の日常生活において主要な家電の１つとなっている。洗濯機の衣類洗浄過程は、主に洗濯、すすぎ、脱水の数段階を含み、洗濯段階で洗濯機は取水し、洗剤で衣類を洗濯する。すすぎ段階に入ると、汚れおよび残った洗剤を洗い落とすために、より多くの水を取水するか、またはすすぎ回数をより多くして衣類をすすぐ必要があり、これは必然的に大量の水資源を消費する。たとえ節水のドラム式洗濯機であっても、衣類をすすぐために、少なくとも２回すすぐ必要があり、この過程で少なくとも３０Ｌ以上の水道水を消費する。時には、衣類の汚れが比較的少ないか、または投入する洗剤が比較的少なく、２回できれいにすすぐことができるが、ユーザが３回のすすぎを選択することにより、必然的に水資源の浪費が引き起こされる。例えば６Ｋｇの全自動洗濯機は、一般的に２回のすすぎを行うと、基本的に１００リットル前後の水を使用する。いかにして衣類を洗浄するのと同時に、節水節電を行うかということは、常に消費者が関心を寄せる焦点の１つである。
【０００３】
現在まで、家庭用洗濯機に組み合わせて使用する、水の浄化および循環利用装置はいまだない。たとえいわゆる節水機能を備えた洗濯機であっても、一般的に洗濯機の側部に貯水タンクを取り付け、水ポンプを使用して注水および排水を行う。一般的に１回の注水ですすぎを３回行うことができ、節水機能を示すものである。しかし、洗濯後の水を保存することができず、さらに洗濯機本体の構造を複雑、膨大にし、輸送、回収処理などに不利である。体積、構造および適応性などの面の制限により、洗濯機が元々有する機能および節水タンク自体の機能に影響を及ぼしている。既存の洗濯機の方式を基に、より良好に水資源の節約を行うため、多くのメーカが多くの研究開発を行っている。
【０００４】
既存の水循環機能を備えた洗濯機は、糸くずをろ過する、洗濯を均一にする、またはオゾン、重金属イオンを添加して殺菌する、などの作用を示すのみである。水の消費量を改善することができず、洗浄についての根本的な向上はない。
【０００５】
衣類洗浄水の循環利用について、関連する特許文献を調べると、例えば中国特許出願番号第２００８１００７２４２０．５号の「洗濯機の循環水使用節水装置」は、衣類洗浄水を１つの水槽内に送り込み、浄化処理を行う。該発明では、１回目の衣類洗浄水は浄化せずに直接排出し、２回目、３回目のすすぎ水を浄化処理した後、後に次回の衣類洗浄時に使用する。
【０００６】
上記技術における「循環水使用技術」は、すすぎ水を浄化後に使用する。該技術は、１回目の衣類洗浄水（初回の洗濯水）を循環利用することができない。浄化後の水を後に次回の衣類洗浄でも使用するものであり、進行中の衣類洗浄に使用することはできない。
【０００７】
出願番号第０３２５６１８１．４号の中国特許は、節水洗濯機を開示している。洗濯槽の出水口の前に初期ろ過装置が設けられ、さらに貯水槽が設けられ、貯水槽の底部に凝集タンクが設けられる。凝集タンクの上方にろ過装置が設けられ、凝集タンクは管路を介して洗濯槽と通じる。凝集タンクはさらに汚水排出口を有し、管路にポンプが設けられる。
【０００８】
上記構造のろ過装置は洗浄機能を有さないため、長時間使用すると、ろ過装置は詰まり、水の循環処理に影響を及ぼす。
【０００９】
このことを考慮して、特に本発明を示す。
【先行技術文献】
【特許文献】
【００１０】
【特許文献１】中国特許出願番号第２００８１００７２４２０．５号
【特許文献２】中国特許出願番号第０３２５６１８１．４号
【発明の概要】
【発明が解決しようとする課題】
【００１１】
本発明が解決しようとする技術的問題は、既存技術の不足を克服し、構造が簡単な、自動洗浄機能を有する洗濯機の循環節水ろ過装置を提供することである。
【００１２】
本発明のもう１つの目的は、該循環節水ろ過装置を有する洗濯機を提供することである。
【課題を解決するための手段】
【００１３】
上記技術的問題を解決するため、本発明が採用する技術案の基本的構想は次の通りである。自動洗浄機能を有する洗濯機の循環節水ろ過装置は、ろ過容器およびろ過機構を含み、前記ろ過機構はろ過容器内部に回転可能に設けられる。ろ過装置は、取水水流を利用してろ過機構を回転させ、ろ過機構を噴射洗浄する自動洗浄機構をさらに含む。
【００１４】
さらに、前記ろ過機構は筒形のろ過フレームと、ろ過フレームに設けられるろ過ネットとを含む。ろ過フレームの両端はろ過容器の旋回軸と接続され、その一端は回転コネクタであり、もう一端は軸が密封される。
【００１５】
さらに、前記ろ過容器に洗濯機の循環水取水口と、ろ過後の水を排出する出水口と、洗浄廃水を外部に排出する汚水排出口とが設けられ、ろ過出水口はろ過機構の回転コネクタと通じる。
【００１６】
さらに、前記ろ過機構の回転軸の方向および水平面は傾斜夾角α（０≦α≦３０°）を有し、回転コネクタはろ過機構のより低い一端に設けられる。ろ過機構を傾斜して、または横向きに設置することにより、ろ過面積を大きくし、ろ過速度を速めることができるだけでなく、ろ過ネットの洗浄に有利である。
【００１７】
または、前記ろ過機構はろ過容器内に垂直に設けられ、回転コネクタは底端に設けられる。該構造は、水流がろ過ネットを洗い流す速度を効果的に利用し、ろ過ネットをよりきれいに洗浄する。
【００１８】
さらに、前記自動洗浄機構は噴射ヘッドを含み、噴射ヘッドはろ過容器上に取り付けられ、噴水方向がろ過機構の表面に作用し、ろ過機構を回転させる。噴射ヘッドの噴水方向は、ろ過機構の軸心からずれた、傾斜したろ過機構の回転する円周面であり、筒形のろ過フレームの接点に近い方向である。ろ過機構のろ過ネット表面に作用し、強力な洗浄を実現する。
【００１９】
さらに、前記自動洗浄機構は、ろ過機構の表面に設けられるブレードをさらに含む。ブレードを噴射ヘッドの噴水方向に対応して設置することにより、水流がろ過機構を回転させる動力が伝達される。さらに、ろ過容器内の水流をかき回してろ過容器の内壁を洗い流す。
【００２０】
さらに、前記噴射ヘッドは管状構造であり、一端は閉じ、もう一端は洗浄取水と通じる。噴射ヘッドの周壁に、軸方向に沿って少なくとも１つの噴水口が設けられ、噴水口の形状は円形、楕円形、棒状などがある。噴射ヘッドの長さは、噴射した水流の幅がろ過ネット全体の軸方向の長さ範囲を充分にカバーすることを保証する必要がある。
【００２１】
さらに、前記噴射ヘッドは噴射管および取水管を含み、噴射管は水均圧化空洞と、水均圧化空洞とつながり、外側に噴水する噴水口とを有する。取水管は水均圧化空洞内に延伸し、水均圧化空洞内に延伸する一端は閉じ、もう一端は洗浄取水と通じる。取水管の周壁に、水均圧化空洞とつながる少なくとも１つの出水口が設けられる。
【００２２】
さらに、前記水均圧化空洞は二等辺三角形状の空洞であり、取水管は水均圧化空洞の頂角から底辺に垂直に延伸する。噴水口は水均圧化空洞の底辺に設けられ、出水口は、対応する２つの底角方向における取水管の周壁に対称に分布する。
【００２３】
好ましくは、噴水口は水均圧化空洞の底辺における取水管の両側に設けられ、出水口は棒状である。
【００２４】
本発明の前記洗濯機は洗濯機外槽を含み、管路を介して順番に外槽、凝集装置、ろ過装から再び外槽まで循環して通じる。このうち、
凝集装置は、外槽と通じる凝集容器と、凝集容器内に凝集剤を投入する凝集剤投入器とを含み、外槽から凝集容器内に排水されて凝集処理される。
ろ過装置は、ろ過容器と、ろ過容器内に設けられるろ過機構とを含み、ろ過容器はそれぞれ凝集容器および外槽と通じる。凝集容器内の凝集処理後の水を、さらにろ過機構でろ過してから、外槽内に排出して繰り返し使用する。
【００２５】
さらに、前記凝集容器に、撹拌して凝集剤の溶解を速める撹拌機構と、凝集容器の内壁を洗い流し、洗浄する洗浄機構とが設けられる。
【００２６】
さらに、前記洗浄機構は、取水して凝集容器の内壁方向に放つ放水インペラと、放水インペラを回転させる駆動モータとを含む。
【００２７】
さらに、前記撹拌機構は、凝集容器外部に取り付けられる撹拌モータと、凝集容器内部に延伸する撹拌軸と、撹拌軸に取り付けられる撹拌インペラとを含む。
【００２８】
さらに、前記駆動モータは前記撹拌モータであり、前記放水インペラは撹拌軸に同軸に取り付けられる。撹拌インペラの湾曲方向は、撹拌過程で撹拌軸が回転する方向と反対である。該撹拌インペラの構造は、水流をかき回して凝集剤の溶解を速めることも、水流が大きすぎて凝集物がばらばらになるのを防止することもできる。凝集容器内に、取水を放水インペラ上に誘導する水誘導溝が設けられる。撹拌インペラは撹拌軸の底端に取り付けられ、放水インペラは撹拌軸の撹拌モータに近い位置に取り付けられる。取水して凝集容器を洗浄するとき、撹拌モータは高速で放水インペラを回転させる。放水インペラの回転遠心力の作用により、取水を一定速度で凝集容器内の周壁に放ち、洗浄する。放水範囲を拡大するため、撹拌モータを制御して様々な回転速度で段階的に動作させる。
【００２９】
さらに、前記放水インペラは、回転テーブルと、回転テーブルの上表面に、回転テーブルの中心と同心に設けられる環状遮断リブと、環状遮断リブの外側に円周分布する複数組のブレードとを含む。水誘導溝の出水方向は、回転テーブル上表面における環状遮断リブの外部領域に対応する。複数組のブレードは、環状遮断リブの外部領域を複数の小さい領域に分割する。放水時に分散した水流を利用することにより、水流は４つの周壁に均等に放たれる。
【００３０】
本発明の前記洗濯機の循環水処理方法は、次の通りである。洗濯が終了し、排水されると、順番に凝集装置で凝集処理され、ろ過装置でろ過処理される。さらに外槽に排出され、すすぎを行い、上記水処理過程をすすぎが終了するまで繰り返す。凝集容器の汚水排出口およびろ過容器の汚水排出口が開き、外槽の水を凝集容器に排出して洗浄し、それと同時に、きれいな水を取水してろ過装置を洗浄する。
【００３１】
本発明のろ過装置を自動洗浄する主な原理としては、水流を利用してろ過ネットに貼り付いた凝集物、小さい顆粒物を洗い流し、最終的に凝集物をろ過するとき、ネットが詰まり、塞がる問題を解決する。凝集混合物がろ過容器に進入し、ろ過ネットでろ過された後、きれいな水を排出する。排出過程で水流が遅くなった場合、またはろ過過程の終了後、自動洗浄装置が起動する。水道水が噴射ヘッドに進入すると、噴水口からろ過ネットに斜めに噴出され、ろ過機構を回転させながらろ過ネットを洗い流す。ろ過機構が回転して水流をかき回すのと同時に、ろ過容器の内壁を洗浄する。
【発明の効果】
【００３２】
上記技術案を採用すると、本発明は既存技術と比較して以下の有益な効果を有する。
【００３３】
本発明の洗濯機は凝集ろ過循環節水設備を採用し、１回のみの取水で、すべての洗濯過程を完了することができる。洗濯効率に影響を及ぼさないのと同時に、最大限水資源を節約する。既存の撹拌インペラと完全に相反する設計の撹拌構造を採用しており、凝集剤および洗濯汚水の混合を速めることを実現することも、凝集物がばらばらになるのを防止することもでき、構造は簡単である。凝集装置およびろ過ユニットはいずれも自動洗浄を実現し、凝集容器およびろ過機構を手動で掃除する工程が省かれ、自動化の程度が上昇した。構造は簡単であり、エネルギー消費を節約することができる。
【図面の簡単な説明】
【００３４】
【図１】図１は、本発明の前記洗濯機の循環節水ろ過装置における構造概要図である。
【図２】図２は、図１のＡ−Ａ方向の概要図である。
【図３】図３は、図１のＢ−Ｂ方向の概要図である。
【図４】図４は、本発明の前記もう１つのろ過装置における組立構造の概要図である。
【図５】図５は、本発明の前記噴射ヘッドの構造概要図である。
【図６】図６は、本発明の前記噴射ヘッドの断面概要図である。
【図７】図７は、図６のＣ−Ｃ方向の概要図である。
【図８】図８は、本発明の前記洗濯機の構造概要図である。
【図９】図９は、本発明の前記ろ過装置および凝集装置の構造概要図である。
【図１０】図１０は、本発明の洗濯機における循環水の接続概要図である。
【図１１】図１１は、本発明の前記凝集装置における断面構造の概要図である。
【図１２】図１２は、本発明の前記もう１つの凝集装置における断面構造の概要図である。
【図１３】図１３は、本発明の前記撹拌機構および洗浄機構の構造概要図である。
【発明を実施するための形態】
【００３５】
以下に、図を組み合わせて、本発明の具体的実施方式についてさらに詳細に記載する。
【００３６】
図１から図４に示すように、本発明の前記洗濯機の循環節水ろ過装置１は、ろ過容器１１およびろ過機構１２を含み、前記ろ過機構１２はろ過容器１１内部に回転可能に設けられる。ろ過装置１は、取水水流を利用してろ過機構１２を回転させ、ろ過機構１２を噴射洗浄する自動洗浄機構をさらに含む。
【００３７】
本発明のろ過容器１１に、洗濯機の循環水取水口１１１と、ろ過後の水を排出する出水口１１２と、洗浄廃水を外部に排出する汚水排出口１１３とが設けられる。ろ過機構１２は筒形のろ過フレーム１２１と、ろ過フレームに設けられるろ過ネット（ろ過ネットは図示せず）とを含む。ろ過フレーム１２１の両端はろ過容器１１の旋回軸と接続され、その一端は回転コネクタ１２２であり、もう一端は軸が密封される。出水口１１２はろ過機構の回転コネクタ１２２と通じる。
【００３８】
本発明の前記自動洗浄機構は噴射ヘッド１３を含み、噴射ヘッド１３はろ過容器１１上に取り付けられ、噴水方向がろ過機構１２の表面に作用し、ろ過機構１２を回転させる。噴射ヘッド１３の噴水方向は、ろ過機構１２の軸心からずれた、傾斜したろ過機構の回転する円周面であり、筒形のろ過フレーム１２１の接点に近い方向に設定することができる。ろ過機構のろ過ネット表面に作用し、強力な洗浄を実現する。
【００３９】
ろ過機構１の水のろ過循環過程における水流の流路は次の通りである。噴射ヘッド１３および汚水排出口１１３が閉じ、取水口１１１から循環水がろ過容器１１内に取水される。ろ過ネットでろ過後の水は、ろ過フレーム１２１の端部の回転コネクタ１２２、出水口１１２から排出される。ろ過装置の洗浄過程は、取水口１１１、出水口１１２が閉じ、噴射ヘッド１３がきれいな水を取水してろ過機構１２を洗浄する。ろ過機構１２が回転して水をかき回し、ろ過容器１１の内壁を洗浄する。ろ過ネット表面および内壁の汚れが洗い流されると、汚水排出口１１３から排出される。
【実施例】
【００４０】
実施例１
図４に示すように、本実施例の前記ろ過機構１２はろ過容器１１内に垂直に設けられ、回転コネクタ１２２はろ過機構１２の底端に設けられ、自動洗浄機構はろ過容器の側壁に設けられる。該構造は水圧および重力を効果的に利用してろ過ネットを洗い流し、ろ過ネットをよりきれいに洗浄する。
【００４１】
実施例２
図２および図３に示すように、本実施例と上記実施例１との違いは次の通りである。前記ろ過機構１２の回転軸の方向Ｌおよび水平面Ｒは傾斜夾角α（０≦α≦３０°、好ましくは１°≦α≦１０°、最も好ましい実施方式は１°≦α≦３°）を有し、回転コネクタ１２２はろ過機構１２のより低い一端に設けられる。ろ過機構を傾斜して、または横向きに設置することにより、ろ過面積を大きくし、ろ過速度を速めることができるだけでなく、ろ過ネットの洗浄に有利である。
【００４２】
該構造は以下の方式で実現することができる。１、ろ過容器を水平に設置し、ろ過機構を傾斜して設置する。２、ろ過容器およびろ過機構を共に傾斜して設置し、ろ過容器の下方に支持台座を設ける。
【００４３】
実施例１のろ過機構を垂直に設置する方式に対する、本実施例のろ過機構の利点として、１、ろ過面積を増加することができる；２、噴水による応力が均等であり、回転が安定である；３、凝集ろ過が均等で、詰まりにくく、洗浄範囲が広い、である。
【００４４】
実施例３
図４に示すように、本実施例の前記噴射ヘッド１３は管状構造であり、一端は閉じ、もう一端は洗浄取水と通じる。噴射ヘッド１３の周壁に、軸方向に沿って少なくとも１つの噴水口１３０が設けられ、噴水口１３０の形状は円形、楕円形、棒状などがある。噴射ヘッドの長さは、噴射した水流の幅がろ過ネット全体の軸方向の長さ範囲を充分にカバーすることを保証する必要がある。
【００４５】
該管状噴射ヘッド１３は複数設置することができる。ろ過容器１１の側壁に分布し、ろ過機構１２の回転軸方向に平行に設置される。
【００４６】
実施例４
図５から図７に示すように、本実施例の前記噴射ヘッド１３は噴射管１３１および取水管１３２を含み、噴射管１３１は水均圧化空洞１３１１と、水均圧化空洞とつながり、外側に噴水する噴水口１３１２とを有する。取水管１３２は水均圧化空洞１３１１内に延伸し、水均圧化空洞１３１１内に延伸する一端は閉じ、もう一端は洗浄取水と通じる。取水管１３２の周壁に、水均圧化空洞１３１１とつながる少なくとも１つの出水口１３２１が設けられる。
【００４７】
さらに、前記水均圧化空洞１３１１は二等辺三角形状の空洞であり、取水管１３２は水均圧化空洞１３１１の頂角から底辺に垂直に延伸する。噴水口１３１２は水均圧化空洞１３１１の底辺に設けられ、出水口１３１２は、対応する２つの底角方向における取水管１３２の周壁に対称に分布する。
【００４８】
好ましくは、噴水口１３１２は水均圧化空洞１３１１の底辺における、対応する取水管１３２の両側に設けられ、出水口１３２１は棒状である。
【００４９】
該噴射ヘッド１３は少なくとも２個であり、ろ過機構１２の回転軸方向に平行に、ろ過機構１２の側面上方に設けられる。噴水の水圧および水が落ちる重力を利用してろ過フレームを回転させて、ろ過ネットを洗浄する。ろ過フレームの回転過程において、ろ過容器内の水が擦ることにより、ろ過ネット表面の汚れを除去する。
【００５０】
実施例５
図３に示すように、本実施例の前記自動洗浄機構は、ろ過機構の表面に設けられるブレード１４をさらに含む。ブレード１４を噴射ヘッド１３の噴水方向に対応して設置することにより、水流がろ過機構を回転させる動力が伝達される。
【００５１】
さらに、前記ブレード１４は複数であり、ろ過フレーム１２１の円周および軸方向に沿って分布し、噴射ヘッド１３の噴水方向と対応する。
【００５２】
実施例６
図８から図１０に示すように、本発明の前記洗濯機はパルセータ式洗濯機およびドラム式洗濯機を含むが、これに限定されない。洗濯機は洗濯機外槽２を含み、管路３を介して順番に外槽２、凝集装置４、ろ過装置１から再び外槽２まで循環して通じる。
【００５３】
凝集装置４は外槽と通じる凝集容器４１と、凝集容器４１内に凝集剤を投入する凝集剤投入器５とを含み、外槽２から凝集容器４１内に排水されて凝集処理される。
ろ過装置１はろ過容器１１と、ろ過容器１１内に設けられるろ過機構１２とを含み、ろ過容器１１はそれぞれ凝集容器４１および外槽２と通じる。凝集容器４１内の凝集処理後の水を、さらにろ過機構１２でろ過してから、外槽２内に排出して繰り返し使用する。
【００５４】
実施例７
図１１に示すように、本実施例の凝集容器４１に、撹拌して凝集剤の溶解を速める撹拌機構と、凝集容器の内壁を洗い流し、洗浄する洗浄機構とが設けられる。前記洗浄機構は、取水して凝集容器４１の内壁方向に放つ放水インペラ４２と、放水インペラ４２を回転させる駆動モータ４３とを含む。前記撹拌機構は、凝集容器４１の外部に取り付けられる撹拌モータ４４と、凝集容器４１の内部に延伸する撹拌軸４５と、撹拌軸４５に取り付けられる撹拌インペラ４６とを含む。
【００５５】
本実施例の前記駆動モータ４３は凝集容器の上方に設けられ、撹拌モータ４４は凝集容器４１の底部に設けられ、撹拌軸４５は上に向かって凝集容器４１の内部に延伸する。該構造以外に、撹拌モータ４４は凝集容器４１の側部に設けることもでき、撹拌軸４５は側部から凝集容器４１の内部に延伸する。または撹拌モータ４４および駆動モータ４３をいずれも凝集容器の上方に設ける。
【００５６】
実施例８
図１２および図１３に示すように、本実施例は実施例７を基にして行ったさらなる改良である。前記駆動モータ４３は前記撹拌モータ４４と同じモータであり、前記放水インペラ４２は撹拌軸４５に同軸に取り付けられる。撹拌インペラ４６の湾曲方向は、撹拌過程で撹拌軸４５が回転する方向と反対である。該撹拌インペラの構造は、水流をかき回して凝集剤の溶解を速めることも、水流が大きすぎて凝集物がばらばらになるのを防止することもできる。凝集容器４１内に、取水を凝集容器の取水口４０から放水インペラ４２上に誘導する水誘導溝４７が設けられる。該水誘導溝４７の構造は不可欠ではない。図１１に示すように、取水口４０が放水インペラ４２の上方にあり、取水は直接放水インペラ４２に到る。
【００５７】
撹拌インペラ４６は撹拌軸４５の底端に取り付けられ、放水インペラ４２は撹拌軸４５の撹拌モータ４４に近い位置に取り付けられる。取水して凝集容器４１を洗浄するとき、撹拌モータ４４は高速で放水インペラを回転させる。放水インペラ４２の回転遠心力の作用により、取水を一定速度で凝集容器４１内の周壁に放ち、洗浄する。放水範囲を拡大するため、撹拌モータ４４を制御して様々な回転速度で段階的に動作させる。このようにして、放水は凝集容器４１の内周壁の様々な高さに落ちる。
【００５８】
上記取水口４０からの取水、洗浄は、洗濯機で洗濯後の水でよい。またはきれいな水を取水して洗浄するか、さらにまたはそれぞれ水道水および洗濯機の洗濯水とつながる三方弁を取り付け、水を循環処理するときは洗濯後の水を取水し、洗浄するときはきれいな水を取水する。
【００５９】
実施例９
図１３に示すように、本実施例の前記放水インペラ４２は、回転テーブル４２１と、回転テーブル４２１の上表面に、回転テーブルの中心と同心に設けられる環状遮断リブ４２２と、環状遮断リブの外側に円周分布する複数組のブレード４２３とを含む。水誘導溝４７の出水方向は、回転テーブルの上表面における環状遮断リブの外部領域４２４に対応する。複数組のブレード４２３は、環状遮断リブの外部領域４２４を複数の小さい領域に分割する。放水時に分散した水流を利用することにより、水流は４つの周壁に均等に放たれる。
【００６０】
図９および図１２に示すように、前記凝集容器４１に取水口４０、凝集剤投入口４８、凝集出水口４９および汚水排出口４００が設けられる。取水口４０は洗濯機外槽の排水口と通じ、ろ過容器１１の凝集取水口１１１は凝集出水口４９と通じ、凝集出水口４９と凝集取水口１１１との間に制御バルブ１０１が設けられる。
【００６１】
本発明の前記洗濯機の循環水処理方法は、次の通りである。洗濯が終了すると、循環水処理装置に排水され、順番に凝集装置で凝集処理され、ろ過装置でろ過処理される。さらに外槽に排出され、すすぎを行い、上記水処理過程をすすぎが終了するまで繰り返す。凝集容器の汚水排出口およびろ過容器の汚水排出口が開き、外槽の水を凝集装置に排出して洗浄し、それと同時に、きれいな水を取水してろ過装置を洗浄する。
【００６２】
さらに、本発明の洗濯機は洗剤自動投入装置６をさらに含む。洗剤自動投入装置６は既存技術であり、好ましくは取水による負圧を利用して洗剤を吸引し、投入する構造である。本発明の前記凝集剤投入器５も自動投入構造であり、洗濯水量および洗濯／すすぎ水の混濁度に基づいて、凝集処理するたびに、対応する比率の凝集剤が自動投入される。凝集剤がタブレット状である場合、既存のタブレット状洗剤の自動投入構造を採用することができ、凝集剤が顆粒または粉状の場合、既存技術の定量投入構造を採用する。
【００６３】
上記実施例の実施案は、さらなる組合せまたは置換を行うことができる。また実施例は本発明の好ましい実施例についての記載に過ぎず、本発明の構想および範囲を限定しない。本発明の設計、発想を逸脱しない前提において、当業者が本発明の技術案に対して行う各種の変更および改良は、いずれも本発明の保護範囲に属する。
【図１】
0006418535.tif 000002
【図２】
0006418535.tif 000003
【図３】
0006418535.tif 000004
【図４】
0006418535.tif 000005
【図５】
0006418535.tif 000006
【図６】
0006418535.tif 000007
【図７】
0006418535.tif 000008
【図８】
0006418535.tif 000009
【図９】
0006418535.tif 000010
【図１０】
0006418535.tif 000011
【図１１】
0006418535.tif 000012
【図１２】
0006418535.tif 000013
【図１３】
0006418535.tif 000014